(57)【特許請求の範囲】
【請求項１】
スライドドア（２）の閉じ端側に装着されるベース体（８）と、ベース体（８）に組付けられるアシスト機構（９）と、ベース体（８）の外面に配置されてアシスト機構（９）を待機状態から作動状態に切換え操作するハンドル（１０）を備えており、
アシスト機構（９）は、ベース体（８）で出退スライド可能に支持した蹴出し体（２７）と、蹴出し体（２７）を出退操作する上下一対の倍力レバー（２８）と、倍力レバー（２８）を待機状態に復帰付勢する復帰ばね（２９）を備えているアシスト引手であって、
蹴出し体（２７）と一対の倍力レバー（２８）は連結ピン（３０）で同行移動可能に連結されて、連結ピン（３０）がベース体（８）に設けた出退ガイド溝（２０）で出退スライド自在に案内されており、
倍力レバー（２８）の先端とハンドル（１０）は、いずれか一方に設けた入力ピン（３７）と、他方に設けた入力ガイド溝（４６）で連結されており、
倍力レバー（２８）の上下中途部とベース体（８）とは、いずれか一方に設けた支点ピン（３８）と、他方に設けた支点ガイド溝（２２）で連結されており、
倍力レバー（２８）がハンドル（１０）で傾動操作されて、蹴出し体（２７）および連結ピン（３０）が出退ガイド溝（２０）に沿って進出移動する状態において、入力ピン（３７）と入力ガイド溝（４６）、および支点ピン（３８）と支点ガイド溝（２２）がそれぞれ相対移動して、倍力レバー（２８）の傾動に伴う軌跡差を吸収することを特徴とするスライドドアのアシスト引手。
【請求項２】
四角形状に形成された蹴出し体（２７）の倍力レバー（２８）との連結面側に、連結ピン（３０）とスライド突起（３１）が一体に設けられて、連結ピン（３０）およびスライド突起（３１）が出退ガイド溝（２０）でスライド案内されており、
ベース体（８）の一側に、蹴出し体（２７）の出入りを許す出退口（１４）と、蹴出し体（２７）の上下周面をスライド自在に案内する出退ガイド壁（１７）が設けられており、
蹴出し体（２７）が、前記出退ガイド壁（１７）と出退ガイド溝（２０）の３者で、出退スライド可能に案内してある請求項１に記載のスライドドアのアシスト引手。
【請求項３】
ベース体（８）に、アシスト機構（９）を収容する収容凹部（１３）が凹み形成されており、
前記収容凹部（１３）の周囲を囲む周側壁の一方に、倍力レバー（２８）の出入りを許すアーム開口（１５）と、倍力レバー（２８）とハンドル（１０）の連結部を待機状態において収容するポケット凹部（１６）が形成されており、
作動状態において、ベース体（８）から突出する倍力レバー（２８）の中途部に、アーム開口（１５）の開口端縁との接当干渉を避ける逃げ切欠（３６）が設けてある請求項２に記載のスライドドアのアシスト引手。
【請求項４】
ハンドル（１０）が、金属製のハンドルベース（４４）と、ハンドルベース（４４）の外面を覆うハンドルカバー（４５）で構成されており、
倍力レバー（２８）に入力ピン（３７）と支点ピン（３８）が固定され、ハンドルベース（４４）に入力ピン（３７）をガイドする入力ガイド溝（４６）が形成され、ベース体（８）に支点ピン（３８）をガイドする支点ガイド溝（２２）が形成してある請求項２または３に記載のスライドドアのアシスト引手。
【請求項５】
ハンドルカバー（４５）の上下壁の内面に、上下に対向するスライド突起（５２）が設けられており、
前記スライド突起（５２）がベース体（８）の上下の端壁に設けたガイド溝（５３）で出退スライド可能に案内してある請求項４に記載のスライドドアのアシスト引手。
【請求項６】
復帰ばね（２９）を収容する上下一対のばね受部（１８）が、出退ガイド壁（１７）に隣接して設けられており、
倍力レバー（２８）は、ハンドル（１０）に連結される長寸の操作側アーム（３４）と、蹴出し体（２７）に連結される短寸の駆動側アーム（３５）を一体に備えており、
駆動側アーム（３５）と前記ばね受部（１８）との間に、圧縮コイルばねからなる復帰ばね（２９）を配置して倍力レバー（２８）が復帰付勢されており、
待機状態において、蹴出し体（２７）および駆動側アーム（３５）の側面が、収容凹部（１３）の周側壁で受止められている請求項３から５のいずれかひとつに記載のスライドドアのアシスト引手。
【請求項７】
倍力レバー（２８）の駆動側アーム（３５）の中途部に段落部が形成されて、段落部と駆動側アーム（３５）の先端との間に段落面（４０）が形成されており、
一対の倍力レバー（２８）は、段落面（４０）同士が対向する状態で蹴出し体（２７）に連結されて、一対の操作側アーム（３４）がベース体（８）に設けたボス（２３）および支持リブ（２４）で同一平面上に支持されており、
待機状態における操作側アーム（３４）の一部が、アーム開口（１５）の開口周縁壁で支持してある請求項６に記載のスライドドアのアシスト引手。
【発明の詳細な説明】
【技術分野】
【０００１】
本発明は、スライドドアの開放操作力を軽減して、ドアを軽快に開放するためのアシスト引手に関する。本発明におけるスライドドアとは、引戸、サッシ窓、片引き窓等に代表される、引違い開閉されるウイング全般を含む概念である。
【背景技術】
【０００２】
この種のアシスト引手は、特許文献１に開示されている。そこでは、縦長の固定部と、固定部に対して左右スライドする操作部と、操作部の左右スライド動作を受けて伸縮変形するリンク構造と、リンク構造の出力端に軸支されるローラー（当接部）と、リンク構造を復帰付勢するばねなどでアシスト引手を構成している。リンク構造は、固定部に組付けられるリンクピンでＸ字状に連結される一対の大リンクと、大リンクの片方のリンク腕に対してＸ字状に連結されて、リンク端同士が連結される一対の小リンクで、パンタグラフ状の平行リンク機構として構成してあり、大リンクの自由端にローラーが軸支されている。一対の小リンクのリンク端と、小リンクが連結された一対のリンク腕のリンク端には、それぞれスライドピンが固定してあり、これら４個のピンは固定部に設けた上下方向のガイド溝で、上下スライドのみ可能に案内してある。操作部は、大リンクのリンク端に連結される金属製のベース板と、ベース板に締結されるプラスチック製のカバーとで構成してあり、固定部の上下端に設けた案内部でカバーを左右スライド可能に案内している。
【０００３】
特許文献２のアシスト引手は、縦長のベース部と、ベース部に対して左右スライドするハンドル部と、ハンドル部の左右スライド動作を受けて左右回動する上下一対の回動レバーと、回動レバーでスライド操作されるコ字形の中継部材および押圧部と、回動レバーを復帰付勢する捩じりコイルばねなどで構成してある。上下一対の回動レバーを同期して回動させるために、両レバーの隣接部分にレバー連結機構を設けている。レバー連結機構としては、各レバーに部分的なギヤ歯を設けて、ギヤ同士の噛合いによって回動レバーを同期して回動させる構造と、各レバーに設けたＵ字状の係合溝をピンで連結して、回動レバーを同期して回動させる構造が開示してある。ハンドル部は、上下に長い手掛け部と、その一側上下に設けた連結部とで門形に形成してあり、連結部はベース部に設けたフード部（ガイド枠部）でスライド自在に案内してある。
【先行技術文献】
【特許文献】
【０００４】
【特許文献１】特許第３９２７９３８号公報（段落番号００２２、図５）
【特許文献２】特許第５５７８６５６号公報（段落番号００２１〜００３５、図５、図１０）
【発明の概要】
【発明が解決しようとする課題】
【０００５】
特許文献１のアシスト引手は、操作部の開放操作力を一対の大リンクの倍力作用によって増幅するので、スライドドアを初動抵抗に抗して軽快に開放できる。また、操作部を平行移動させてスライドドアの開放初期動作をアシストするので、レバーを中心軸の回りに傾動操作する形態のアシスト引手に比べて、操作部を違和感なく円滑に開放操作でき、さらに、操作部の操作ストロークを小さくできる利点もある。しかし、大リンク、小リンク、ローラー、および復帰ばねを、それぞれ一対ずつ設ける必要があるので、引手の全体構造が複雑化し、組立てに手間がかかることもあって製造コストが嵩むのを避けられない。また、引手全体の外郭形状が大きく、さらに全厚寸法が分厚いため違和感を与えやすく、とくにアシスト引手を既存のスライドドアに装着する場合に室内の雰囲気が損なわれやすい。
【０００６】
その点、特許文献２のアシスト引手は、ハンドル部のスライド動作を、上下一対の回動レバーと中継部材でスライド動作に変換して、押圧部を押出し操作するので、特許文献１のアシスト引手に比べて、引手の全体構造を簡素化し小形化できる。また、一対のギヤでレバー連結機構を構成するアシスト引手の場合には、回動レバーを厚み方向に重ねる必要がないので引手の全厚寸法を小さくできる。しかし、特許文献１のアシスト引手に比べると、開放操作するときハンドル部がぎくしゃくして平行移動しにくいため、ハンドル部を円滑に開放操作できず操作性に問題がある。これは、回動レバーがベース部に設けたレバー回動支軸で回動可能に拘束してあるだけで、ハンドル部と回動レバーの連結部、およびレバー連結機構のそれぞれが、余裕隙間の分だけ自由にずれ動く余地があるからである。とくに、Ｕ字状の係合溝とピンを介して回動レバーを同期回動させるレバー連結機構の場合には、係合溝とピンが滑る余地があるため、ハンドル部がぎくしゃくしやすい。回動レバーや中継部材、あるいは連結部およびギヤ連結部を高精度に加工すると、余裕隙間をある程度は小さくしてずれ動きを抑止できるが、加工コストが嵩んでアシスト引手が高コスト化してしまう。また、回動レバーをベース部の内部で回動させるので、引手の左右幅が大きくなる不利がある。さらに、回動レバーの先端がＵ字状（二又状）であるため、Ｕ字部分が破損し易い点にも不利がある。
【０００７】
本発明の目的は、アシスト引手の全体構造を簡素化してコストダウンと、引手構造の小形化と薄形化を実現し、さらに、スライドドアを円滑にしかも軽快に開放操作できる操作性に優れたスライドドアのアシスト引手を提供することにある。
【課題を解決するための手段】
【０００８】
本発明に係るスライドドアのアシスト引手は、スライドドア２の閉じ端側に装着されるベース体８と、ベース体８に組付けられるアシスト機構９と、ベース体８の外面に配置されてアシスト機構９を待機状態から作動状態に切換え操作するハンドル１０を備えている。アシスト機構９は、ベース体８で出退スライド可能に支持した蹴出し体２７と、蹴出し体２７を出退操作する上下一対の倍力レバー２８と、倍力レバー２８を待機状態に復帰付勢する復帰ばね２９を備えている。図１に示すように、蹴出し体２７と一対の倍力レバー２８は連結ピン３０で同行移動可能に連結されて、連結ピン３０がベース体８に設けた出退ガイド溝２０で出退スライド自在に案内されている。倍力レバー２８の先端とハンドル１０は、いずれか一方に設けた入力ピン３７と、他方に設けた入力ガイド溝４６で連結してある。倍力レバー２８の上下中途部とベース体８とは、いずれか一方に設けた支点ピン３８と、他方に設けた支点ガイド溝２２で連結してある。倍力レバー２８がハンドル１０で傾動操作されて、蹴出しブロック２７および連結ピン３０が出退ガイド溝２０に沿って進出移動する状態において、入力ピン３７と入力ガイド溝４６、および支点ピン３８と支点ガイド溝２２がそれぞれ相対移動して、倍力レバー２８の傾動に伴う軌跡差を吸収することを特徴とする。
【０００９】
四角形状に形成された蹴出し体２７の倍力レバー２８との連結面側に、連結ピン３０とスライド突起３１を一体に設けて、連結ピン３０およびスライド突起３１を出退ガイド溝２０でスライド案内する（図７参照）。ベース体８の一側に、蹴出し体２７の出入りを許す出退口１４と、蹴出し体２７の上下周面をスライド自在に案内する出退ガイド壁１７を設ける。蹴出し体２７は、前記出退ガイド壁１７と出退ガイド溝２０の３者で、出退スライド可能に案内してある。
【００１０】
ベース体８に、アシスト機構９を収容する収容凹部１３を凹み形成する。収容凹部１３の周囲を囲む周側壁の一方に、倍力レバー２８の出入りを許すアーム開口１５と、倍力レバー２８とハンドル１０の連結部を待機状態において収容するポケット凹部１６を形成する。作動状態において、ベース体８から突出する倍力レバー２８の中途部に、アーム開口１５の開口端縁との接当干渉を避ける逃げ切欠３６を設ける（図６参照）。
【００１１】
ハンドル１０は、金属製のハンドルベース４４と、ハンドルベース４４の外面を覆うハンドルカバー４５で構成する。倍力レバー２８に入力ピン３７と支点ピン３８を固定する。ハンドルベース４４に入力ピン３７をガイドする入力ガイド溝４６を形成し、ベース体８に支点ピン３８をガイドする支点ガイド溝２２を形成する。
【００１２】
ハンドルカバー４５の上下壁の内面に、上下に対向するスライド突起５２を設ける。図１０に示すように、スライド突起５２はベース体８の上下の端壁に設けたガイド溝５３で出退スライド可能に案内する。
【００１３】
復帰ばね２９を収容する上下一対のばね受部１８を、出退ガイド壁１７に隣接して設ける。倍力レバー２８は、ハンドル１０に連結される長寸の操作側アーム３４と、蹴出し体２７に連結される短寸の駆動側アーム３５を一体に備えている。駆動側アーム３５とばね受部１８との間に、圧縮コイルばねからなる復帰ばね２９を配置して倍力レバー２８を復帰付勢する。待機状態において、蹴出し体２７および駆動側アーム３５の側面は、収容凹部１３の周側壁で受止められている。
【００１４】
倍力レバー２８の駆動側アーム３５の中途部に段落部を形成して、段落部と駆動側アーム３５の先端との間に段落面４０を形成する。一対の倍力レバー２８は、段落面４０同士が対向する状態で蹴出し体２７に連結されて、一対の操作側アーム３４をベース体８に設けたボス２３および支持リブ２４で同一平面上に支持する。待機状態における操作側アーム３４の一部を、アーム開口１５の開口周縁壁で支持する。
【発明の効果】
【００１５】
本発明に係るアシスト引手においては、出退スライド可能な蹴出し体２７と、蹴出し体２７を出退操作する上下一対の倍力レバー２８と、倍力レバー２８を待機状態に復帰付勢する復帰ばね２９などでアシスト機構９を構成した。こうしたアシスト引手によれば、平行リンク機構で開放操作力を増幅する特許文献１のアシスト引手に比べて、アシスト引手の全体構造を簡素化し、さらに組立ての手間を省いてコストダウンを実現できる。加えて、アシスト機構９の構成部品が少ない分だけ、アシスト引手の小形化と薄形化を実現できる。
【００１６】
また、本発明に係るアシスト引手においては、蹴出し体２７と一対の倍力レバー２８を連結ピン３０で同行移動可能に直結し、ハンドル１０で傾動操作される倍力レバー２８の動作を、連結ピン３０を介して蹴出し体２７に直接伝えるようにした。さらに、蹴出し体２７および連結ピン３０が出退ガイド溝２０に沿って進出移動するとき、入力ピン３７と入力ガイド溝４６、および支点ピン３８と支点ガイド溝２２がそれぞれ相対移動することにより、倍力レバー２８の傾動に伴う軌跡差を吸収できるようにした。こうしたアシスト引手によれば、倍力レバー２８の傾動に伴う軌跡差を円滑に吸収しながら、入力ピン３７と入力ガイド溝４６、および支点ピン３８と支点ガイド溝２２の、相対移動時の不必要なずれ動きを規制した状態で、ハンドル１０の姿勢を平行に維持できる。従って、回動レバーをベース部に設けたレバー回動支軸で回動可能に軸支する特許文献２のアシスト引手に比べて、ハンドル１０がぎくしゃくするのを解消して、アシスト引手の操作性を向上しスライドドア２を軽快に開放操作できる。
【００１７】
蹴出し体２７の倍力レバー２８との連結面側に、連結ピン３０とスライド突起３１を一体に設けて、これら両者３０・３１を出退ガイド溝２０でスライド案内した。また、ベース体８の一側に出退口１４と出退ガイド壁１７を設けて、蹴出し体２７を出退ガイド壁１７と出退ガイド溝２０の３者で、出退スライド可能に案内するようにした。こうしたアシスト引手によれば、進出移動時の蹴出し体２７をがたつきのない安定した状態でスライド案内して、連結ピン３０の中心がずれ動くのを確実に防止できる。因みに、傾動するときの倍力レバー２８は、連結ピン３０を位置基準にした状態で、支点ピン３８を中心にして傾動する。そのため、上記のように連結ピン３０の進出動作が安定すると、倍力レバー２８の傾動動作を常に一定にして、蹴出し体２７を的確に進出操作でき、スライドドア２をさらに円滑かつ軽快に開放操作できる。
【００１８】
収容凹部１３の周側壁の一方にアーム開口１５とポケット凹部１６が形成してあるアシスト引手において、倍力レバー２８の中途部に、アーム開口１５の開口端縁との接当干渉を避ける逃げ切欠３６を設けるようにした。こうしたアシスト引手によれば、倍力レバー２８が作動状態に切換えられた状態において、逃げ切欠３６がアーム開口１５と交差して倍力レバー２８がベース体８の外へ突出する。そのため、逃げ切欠３６を設けた分だけアーム開口１５の上下長さを小さくして、塵埃などがアーム開口１５から収容凹部１３内へ入りこむのを極力避けることができる。
【００１９】
倍力レバー２８に入力ピン３７と支点ピン３８を固定し、ハンドルベース４４に入力ガイド溝４６を形成し、ベース体８に支点ガイド溝２２を形成すると、アシスト機構９をコンパクト化し、同機構９を収容するベース体８を小形化できる。例えば、倍力レバー２８に入力ガイド溝４６および支点ガイド溝２２を形成し、ハンドルベース４４およびベース体８に入力ピン３７と支点ピン３８を固定する場合には、各ガイド溝４６・２２を形成する必要上、倍力レバー２８の左右幅や上下長さを大きくする必要がある。そのため、上記構成のアシスト引手に比べてアシスト機構９が大形化し、同機構９を収容するベース体８が大形化するのを避けられない。
【００２０】
ハンドルカバー４５に設けた上下一対のスライド突起５２を、ベース体８に設けたガイド溝５３で出退スライド可能に案内すると、ハンドルカバー４５が傾動しようとするのをスライド突起５２およびガイド溝５３で規制できる。従って、ハンドル１０がぎくしゃくするのをさらに確実に解消して、ハンドル１０を常に適正な姿勢に保持した状態で左右に平行移動させることができる。
【００２１】
長寸の操作側アーム３４と、短寸の駆動側アーム３５で倍力レバー２８を形成し、駆動側アーム３５とばね受部１８との間に、圧縮コイルばねからなる復帰ばね２９を配置すると、復帰ばね２９の小形化とばね掛け構造の簡素化を同時に実現できる。短寸の駆動側アーム３５の傾動ストロークは、長寸の操作側アーム３４の傾動ストロークに比べて充分に小さいので、復帰ばね２９が備えているべき伸縮ストロークを小さくでき、さらに、復帰ばね２９を圧縮した状態で、ばね端を駆動側アーム３５とばね受部１８にあてがえばよく、ばね構造およびばね掛け構造を簡素化できるからである。また、待機状態において、蹴出し体２７および駆動側アーム３５の側面を収容凹部１３の周側壁で受止めて、待機状態における倍力レバー２８とハンドル１０の姿勢を常に一定にして、アシスト引手の外観の体裁を向上できる。
【００２２】
駆動側アーム３５に段落面４０を形成し、段落面４０同士が対向する状態で一対の倍力レバー２８を蹴出し体２７に連結し、操作側アーム３４をベース体８に設けたボス２３および支持リブ２４で同一平面上に支持した。こうしたアシスト引手によれば、倍力レバー２８が待機状態から作動状態へ傾動するとき、操作側アーム３４が厚み方向へぐら付くのを防止して、倍力レバー２８を的確に傾動させることができるので、倍力レバー２８による操作力の増幅と、蹴出し体２７の進出操作とをさらに円滑に行える。また、待機状態における操作側アーム３４の一部を、アーム開口１５の開口周縁壁で支持することにより、ハンドル１０が開放操作されてスライドし始めるとき、操作側アーム３４がアーム開口１５の周囲壁の内面に接当し引っ掛かるのを防止できるので、ハンドル１０を常に円滑に開放操作できる。
【図面の簡単な説明】
【００２３】
【図１】本発明に係るアシスト引手の縦断正面図である。
【図２】アシスト引手の適用例を示す正面図である。
【図３】アシスト引手の適用例を示す横断平面図である。
【図４】アシスト引手の分解斜視図である。
【図５】待機状態のアシスト引手を示す縦断正面図である。
【図６】作動状態のアシスト引手を示す縦断背面図である。
【図７】図５におけるＡ−Ａ線断面図である。
【図８】図１におけるＢ−Ｂ線断面図である。
【図９】図５におけるＣ−Ｃ線断面図である。
【図１０】図５におけるＤ−Ｄ線断面図である。
【図１１】待機状態のアシスト引手を示す外観図である。
【図１２】作動状態のアシスト引手を示す外観図である。
【発明を実施するための形態】
【００２４】
（実施例）  図１ないし図１２は、本発明に係るアシスト引手の実施例を示す。本発明における前後、左右、上下とは、図１および図３に示す交差矢印と、矢印の近傍に表記した前後・左右・上下の表示に従う。図２において符号１は開口枠、２は開口枠１に沿って引違開閉されるガラス戸（スライドドア）である。ガラス戸２は、上下に長い四角形状の戸枠３と、戸枠３に嵌込まれた板ガラス４と、図示していない戸車または吊車などで構成してある。符号６はクレセント錠である。開口枠１および戸枠３の周囲には、雨水や騒音を遮断するための複数のシール構造が設けてあり、これらのシール構造の摩擦抵抗が、閉じ状態のガラス戸２を開放するときの初動抵抗となる。また、高度の断熱機能を発揮するために、板ガラス４が内外２重に配置してあるガラス戸の場合には、全体重量が大きくなるため初動抵抗はさらに増加する。
【００２５】
上記の初動抵抗に抗してガラス戸２を軽快に開放するために、戸枠３の閉じ端側の縦枠部５にアシスト引手を設けている。左側のアシスト引手と右側のアシスト引手は同じ構造で、縦枠部５に対する装着姿勢が異なるだけであるので、以下では左側のアシスト引手についてのみ説明する。アシスト引手は、縦枠部５に固定されるベース体８と、ベース体８に組付けられるアシスト機構９と、ベース体８の外面に配置されてアシスト機構９を待機状態（図５に示す状態）から作動状態（図１に示す状態）に切換え操作するハンドル１０を備えている。
【００２６】
図４において、ベース体８は、縦長のプラスチック成型品からなるベース本体１１と、ベース本体１１の取付け面側を覆うカバー板１２を備えている。ベース本体１１には、アシスト機構９を収容する収容凹部１３が凹み形成されており（図６参照）、収容凹部１３の周囲を囲む周側壁の一方に後述する蹴出しブロック２７用の出退口１４が開口され、周側壁の他方の上下にアーム開口１５と入江状のポケット凹部１６が形成してある。出退口１４は周側壁の上下中央に形成してあり、その内部に出退ガイド壁１７と、上下一対のばね受部１８が形成してある。
【００２７】
収容凹部１３の内部の上下には上下一対のねじボス１９が形成され、出退口１４と先の周側壁との間の凹部壁に左右方向に延びる出退ガイド溝２０が形成してある（図６参照）。また、ばね受部１８に隣接して縦長長円状の支点ガイド溝２２を備えたボス２３が形成され、ボス２３の上方および下方からポケット凹部１６にわたって、倍力レバー２８を支持する支持リブ２４が形成してある。ベース本体１１のハンドル１０との対向面には、支点ガイド溝２２の周囲を囲む状態のピン受座２５が凹み形成してある（図４参照）。ポケット凹部１６は、倍力レバー２８とハンドル１０の連結部を待機状態において収容するために設けてある。
【００２８】
アシスト機構９は、ベース体８で出退スライド可能に支持した蹴出しブロック（蹴出し体）２７と、蹴出しブロック２７を出退操作する上下一対の倍力レバー２８と、倍力レバー２８を待機位置へ復帰付勢する復帰ばね２９を備えている。
【００２９】
蹴出しブロック２７は四角形状のプラスチック成型品からなり、その前面側に連結ピン３０とスライド突起３１が一体に設けてある。蹴出しブロック２７の上下周面は、先の出退ガイド壁１７で案内支持してあり、連結ピン３０およびスライド突起３１は、先の出退ガイド溝２０でスライド案内されている。このように、蹴出しブロック２７を一対の出退ガイド壁１７と出退ガイド溝２０でスライド案内することにより、蹴出しブロック２７をがたつきのない安定した状態でスライド案内することができる。また、蹴出しブロック２７が出退口１４から突出した状態においては、蹴出しブロック２７の半分以上の部分を一対の出退ガイド壁１７と出退ガイド溝２０で支持して、蹴出しブロック２７を安定した状態で支持できる。
【００３０】
倍力レバー２８は、ステンレス板材を素材とするプレス成型品からなり、ハンドル１０に連結される先すぼまり状の長寸の操作側アーム３４と、蹴出しブロック２７に連結される短寸の駆動側アーム３５を一体に備えている。操作側アーム３４の中途部には、アーム開口１５の開口端縁との接当干渉を避ける半円状の逃げ切欠３６が形成してあり、その先端に入力ピン３７が固定され、アーム基端に支点ピン３８用のピン穴４２が形成してある（図４参照）。駆動側アーム３５の中途部には段落部が形成されて、段落部と駆動側アーム３５の先端との間に段落面４０が形成され、段落面４０の先端に連結ピン３０用のピン穴４１が形成してある。支点ピン３８から入力ピン３７までの中心間距離は、支点ピン３８からピン穴４１（連結ピン３０）までの中心間距離の約２倍に設定してある。従って、倍力レバー２８が支点ピン３８の周りに傾動するとき、入力ピン３７に加えられた操作力は連結ピン３０において約２倍に増幅される。
【００３１】
上下一対の倍力レバー２８は、段落面４０同士が対向する状態でピン穴４１を連結ピン３０に係合することにより、蹴出しブロック２７と同行移動可能に連結してある。また、倍力レバー２８とハンドル１０は、操作側アーム３４に固定した入力ピン３７をハンドル１０の入力ガイド溝４６に係合することにより、操作側アーム３４がハンドル１０に同行して傾動できるように連結してある。倍力レバー２８とベース体８は、支点ピン３８を支点ガイド溝２２に係合して、支点ピン３８が支点ガイド溝２２に沿ってスライド移動できるように連結してある。
【００３２】
復帰ばね２９は圧縮コイルばねからなり、ばね受部１８と駆動側アーム３５との間に配置されて、倍力レバー２８を待機状態へ向かって復帰付勢する。ばね受部１８に装着した復帰ばね２９を、ベース本体１１に固定したカバー板１２で押え保持することにより、復帰ばね２９がばね受部１８から脱落するのを防止している。待機状態において、蹴出しブロック２７および駆動側アーム３５の側面は、出退口１４と対向する収容凹部１３の周側壁で受止められている（図５参照）。
【００３３】
アシスト機構９は、倍力レバー２８がハンドル１０で傾動操作されるとき、倍力レバー２８は支点ピン３８の回りに傾動して、倍力作用を発揮しながら蹴出しブロック２７を進出操作する。このとき、蹴出しブロック２７および連結ピン３０は出退ガイド溝２０に案内されて直線状に進出移動するため、連結ピン３０と支点ピン３８、および連結ピン３０と入力ピン３７の中心同士を結ぶピン間距離の垂直成分が徐々に増加する。こうした垂直成分の増加を吸収するために、支点ピン３８が支点ガイド溝２２に沿ってスライド移動し、かつ、入力ピン３７が入力ガイド溝４６に沿ってスライド移動する。このように、倍力レバー２８が支点ピン３８の回りに傾動するときの、入力ピン３７および支点ピン３８の軌跡差は入力ガイド溝４６および支点ガイド溝２２で吸収するが、両ピン３７・３８の移動方向が各ガイド溝４６・２２に沿う方向へ限定されるので、各ピン３０・３７・３８が自由にずれ動くのを規制できる。
【００３４】
ハンドル１０は、ステンレス製のハンドルベース４４と、ハンドルベース４４の外面を覆うハンドルカバー４５で構成する。ハンドルベース４４は、凹断面がコ字状の上下に長い枠体からなり、その上下端寄りに縦長の入力ガイド溝４６と、ハンドルカバー４５を締結するためのビス穴４７が形成され、さらに、中途部に上下一対の連結穴４８が形成してある。ハンドルカバー４５は、ベース体８の外郭形状に一致する中空のプラスチック成型品からなり、その外面に手掛凹部４９が凹み形成され、内部の上下に先のビス穴４７に対応するねじボス５０が形成してある（図１０参照）。また、ハンドルカバー４５の内面の中途部には、先の連結穴４８に係合する上下一対のピン５１が突設してある（図８参照）。ハンドル１０が待機状態にあるとき、ハンドルカバー４５の右側壁５４は、図７に示すようにベース本体１１の右側面を覆っている。
【００３５】
ハンドル１０をベース体８に対して左右方向へ平行移動させるために、ハンドルカバー４５の上下壁とベース体８の上下の端壁との間にハンドルガイド構造を設けている。図１０においてハンドルガイド構造は、ハンドルカバー４５の上下壁の内面に、上下に対向する状態で設けたスライド突起５２と、ベース体８の上下の端壁に設けたガイド溝５３とからなる。スライド突起５２およびガイド溝５３の断面はそれぞれ５角形状に形成してあり、ガイド溝５３のスライド方向の一端がアーム開口１５側の側面において開口している。上記のように、ハンドルカバー４５の上下端に設けたスライド突起５２を、ベース体８の上下のガイド溝５３で案内支持すると、ハンドルカバー４５が傾動しようとするのをハンドルガイド構造で規制できるので、ハンドル１０を常に適正な姿勢に保持した状態で、左右に平行移動させることができる。
【００３６】
ベース体８と、アシスト機構９と、ハンドル１０は、例えば以下の要領で組立てることができる。倍力レバー２８には、予め入力ピン３７が圧入固定してある。まず、一対の倍力レバー２８の駆動側アーム３５をアーム開口１５の側から収容凹部１３内に差し込み、段落面４０同士が対向する状態で駆動側アーム３５を重ねて、両アーム３５のピン穴４１を位置決めする。この状態で、蹴出しブロック２７を出退ガイド壁１７の間に嵌めながら、その連結ピン３０をピン穴４１に係合し、さらに連結ピン３０の突端とスライド突起３１を出退ガイド溝２０に係合して、一対の倍力レバー２８と蹴出しブロック２７を一体化する。この状態の一対の操作側アーム３４は、ベース本体１１に設けたボス２３および支持リブ２４で同一平面上に支持されている。
【００３７】
次に、ピン受座２５の側から支点ピン３８を支点ガイド溝２２に挿通し、さらにピン穴４２に係合したのち、支点ピン３８の突端にストップリング５５を装着して、倍力レバー２８をベース本体１１に組み付ける。一対の倍力レバー２８をアーム開口１５の外へ突出させた状態で、ハンドルベース４４の入力ガイド溝４６を入力ピン３７に係合したのち、入力ピン３７の突端にストップリング５６を装着して、倍力レバー２８をハンドルベース４４と一体化する。この後、スライド突起５２をガイド溝５３に係合させながら、ハンドルカバー４５をハンドルベース４４に被付け、これら両者４４・４５をビス５７で締結する（図１０参照）。この状態のハンドルベース４４は入力ピン３７で受止められて、ベース本体１１と小さな隙間を間にして対向している。
【００３８】
最後に、ばね受部１８と駆動側アーム３５の間に復帰ばね２９を装着し、カバー板１２をベース本体１１にビス５８（図４参照）で締結してアシスト引手を完成する。復帰ばね２９で待機状態に位置保持された倍力レバー２８は、図５に示すように、逃げ切欠３６に隣接する操作側アーム３４の側縁がアーム開口１５の開口周縁壁で支持されている。アシスト引手は、ハンドル１０を作動状態にして、ベース本体１１のねじボス１９に挿通したビス６１を縦枠部５に形成したねじ下穴にねじ込むことにより戸枠３に固定できる。その際に、開口枠１の断面構造によっては、図３に示すように、ベース本体１１と縦枠部５との間に調整板５９を配置して、蹴出しブロック２７の当たり位置を調整し、さらに蹴出しブロック２７の進出位置に接当体６０を配置するとよい。
【００３９】
以上のように構成したアシスト引手によれば、一対の倍力レバー２８と蹴出しブロック２７でアシスト機構９を構成するので、リンク構造を平行リンク機構で構成した特許文献１のアシスト引手に比べて、引手の全体構造を簡素化し、さらに組立ての手間を省いてコストダウンを実現できる。また、アシスト機構９の構成部品が少ない分だけ、アシスト引手の小形化と薄形化を実現できる。また、待機状態における倍力レバー２８の操作側アーム３４は、ベース本体１１に設けたボス２３および支持リブ２４で支持され、さらに、操作側アーム３４の逃げ切欠３６より上側の側縁部分が、アーム開口１５の開口周縁壁で支持されている。そのため、ハンドル１０が開放操作されてスライドし始めるとき、操作側アーム３４がアーム開口１５の周囲壁の内面に接当し引っ掛かるのを防止でき、ハンドル１０を常に円滑に開放操作できる。
【００４０】
倍力レバー２８がハンドル１０で傾動操作される状態においては、一対の倍力レバー２８を蹴出しブロック２７に連結ピン３０で直結し、倍力レバー２８が傾動するときの入力ピン３７および支点ピン３８の軌跡差を、入力ガイド溝４６および支点ガイド溝２２で吸収する。詳しくは、連結ピン３０およびスライド突起３１が出退ガイド溝２０に沿って水平に進出移動するとき、入力ピン３７および支点ピン３８が、入力ガイド溝４６および支点ガイド溝２２に沿って垂直にスライド移動する。このように浮動支点構造として構成したアシスト機構９によれば、各ピン３０・３７・３８の動きが各ガイド溝２０・４６・２２に沿う方向へ限定されるので、各ピン３０・３７・３８が自由にずれ動くのを規制できる。従って、倍力レバー２８の傾動姿勢を常に一定にして、出退時のハンドル１０を常に平行移動させ、ハンドル１０がぎくしゃくするのを解消して、アシスト引手の操作性を向上できる。
【００４１】
図６に示すように、倍力レバー２８が作動状態に切換った状態では、逃げ切欠３６がアーム開口１５と交差して操作側アーム３４がベース本体１１の外へ突出する。そのため、逃げ切欠３６を設けた分だけアーム開口１５の上下長さを小さくして、塵埃などがアーム開口１５から収容凹部１３内へ入りこむのを極力避けることができる。
【００４２】
図１１は待機状態のアシスト引手を示す外観図であり、図１２は作動状態のアシスト引手を示す外観図である。いずれの場合にも、底面図は平面図と対称であるため省略してある。アシスト引手の実際の外形寸法は、縦寸法が２２９ｍｍ、横寸法が３１ｍｍ、厚み寸法が２４ｍｍである。
【００４３】
上記の実施例では、倍力レバー２８に入力ピン３７と支点ピン３８を固定し、ハンドルベース４４およびベース体８に、入力ガイド溝４６および支点ガイド溝２２を形成するので、アシスト機構９をコンパクト化し、同機構９を収容するベース体８を小形化できる。例えば、倍力レバー２８に入力ガイド溝４６および支点ガイド溝２２を形成し、ハンドルベース４４およびベース体８に入力ピン３７と支点ピン３８を固定してアシスト機構９を構成することは可能である。しかし、その場合には、各ガイド溝４６・２２を形成する必要上、倍力レバー２８の左右幅や上下長さを大きくする必要がある。そのため、実施例で説明したアシスト引手に比べてアシスト機構９が大形化し、同機構９を収容するベース体８が大形化するのを避けられない。
【００４４】
蹴出し体２７は四角形のプラスチックブロックで構成する必要はなく、例えばローラー状に構成してあってもよい。例えば、プラスチックブロックの進出側端に少なくとも１個のローラーを回転自在に軸支して、ローラーの周面が開口枠１に接当する構造とすることができる。ベース本体１１および蹴出し体２７は、プラスチック成型品である必要はなく、金属製のダイキャスト成型品で形成することができる。
【符号の説明】
【００４５】
１  開口枠
２  スライドドア（ガラス戸）
８  ベース体
９  アシスト機構
１０  ハンドル
１１  ベース本体
１４  出退口
２０  出退ガイド溝
２２  支点ガイド溝
２７  蹴出し体（蹴出しブロック）
２８  倍力レバー
２９  復帰ばね
３０  連結ピン
３１  スライド突起
３７  入力ピン
３８  支点ピン
４６  入力ガイド溝
【図１】
0006414932.tif 000002
【図２】
0006414932.tif 000003
【図３】
0006414932.tif 000004
【図４】
0006414932.tif 000005
【図５】
0006414932.tif 000006
【図６】
0006414932.tif 000007
【図７】
0006414932.tif 000008
【図８】
0006414932.tif 000009
【図９】
0006414932.tif 000010
【図１０】
0006414932.tif 000011
【図１１】
0006414932.tif 000012
【図１２】
0006414932.tif 000013